(57)【要約】      （修正有）【課題】電源の無い場所でも使用でき、投球機を操作する人の労力が少なくて投球操作性に優れかつ球の速度も出しやすい投球機を提供する。【解決手段】投球アーム１０の支点の一方に球装着部１２と支点の他方部に弾性体装着部１３とを有しかつ弾性体装着部側の先端部が球発射解放部１４となっていることを特徴とする投球アームと、発射ペダルアーム３０の支点とペダル３４の間に投球アームの弾性体装着部と弾性体３で連結するための弾性体装着部を有する発射ペダルアームと、略中央部に支点を有する力伝導アーム２０とを有し、力伝導アームの一方が発射ペダルアームの上方に位置し他の一方が投球アームの球発射解放部である先端部と接していることを特徴とする。【選択図】図２
2007229451.tif 000002
【特許請求の範囲】
【請求項１】
投球アームの支点の一方に球装着部と投球アームの支点の他方部に投球アームの弾性体装着部とを有しかつ投球アームの弾性体装着部側の先端部が球発射解放部となっていることを特徴とする投球アームと、発射ペダルアームの支点とペダルの間に投球アームの弾性体装着部と弾性体で連結するための投球アームの弾性体装着部を有する発射ペダルアームと、略中央部に支点を有する力伝導アームとを有し、力伝導アームの一方が発射ペダルアームの上方に位置し他の一方が投球アームの球発射解放部である先端部と接していることを特徴とする、投球機。
【請求項２】
投球アームの球発射解放部または発射ペダルアームの発射ペダルアームのペダルと反対側の先端部または力伝道アームの両先端部の何れか１つ以上に回転体を装着している事を特徴とする請求項１の投球機。
【請求項３】
枠体の上方部に投球アームの支点を装着し、枠体の中央部に力伝導アームの支点を装着し、枠体下方部に発射ペダルアームの支点を装着し、発射ペダルアームのペダルと反対側の先端部が力伝導アームの一方の先端部の下になる状態に位置し、力伝導アームの他の先端部が投球アームの球発射解放部の先端部と接し、かつ投球アームの弾性体装着部と発射ペダルアームの弾性体装着部とを弾性体で連結していることを特徴とする請求項１、２記載の投球機。
【請求項４】
弾性体がバネ、又はゴムであることを特徴とする請求項１、２、３記載の投球機。
【請求項５】
発射ペダルアームの支点又は支点近傍に弾性体装着部を備えた発射ペダル補助アームを有することを特徴とする請求項１、２、３、４記載の投球機。
【請求項６】
発射ペダルアームのペダルを下方に押すと、投球アームの弾性体装着部と発射ペダルアームの弾性体装着部を連結している弾性体に張力が働きかつ発射ペダルアームのペダルと反対側の先端部が力伝導アームの一方のアームの先端部を押し上げ、その結果力伝導アームの他の先端部が投球アームの球発射解放部である先端部を擦るようにして押し下がり、ついには力伝導アームと投球アームの接触が解除され、投球アームの球発射解放部の先端部が弾性体の収縮力で発射ペダルアームのペダル側に引き寄せられて、投球アームの球装着部に装着された球が発射されることを特徴とする請求項１、２、３、４、５記載の投球機。
【発明の詳細な説明】
【技術分野】
【０００１】
本発明は野球やテニスなどの球技の練習を行なう際に使用する投球機に関するものである。
【背景技術】
【０００２】
従来、野球やテニス等の球技の練習には電力や動力の力で球を投球するアーム式の投球機や回転輪式の投球機が使用されている。また、投球用のアームに取り付けられたバネの収縮力を利用し、電力や動力の力を用いずにアームに取り付けられたバネを腕の力等で伸ばして球を投球する投球機も使用されている。
【０００３】
【特許文献１】特開２００１−２１８８８３号公報
【特許文献２】特開２００５−１８５７５８号公報
【発明の開示】
【発明が解決しようとする課題】
【０００４】
しかし、電力や動力の力で球を投球するアーム式や回転輪式の投球機のように電力や動力の力で球を投球する投球機は、電源の無い場所では使用できないという問題がある。また、投球用のアームに取り付けられたバネを腕の力で伸ばして球を投球する投球機は、腕の力でアームを引き寄せてバネを伸ばす操作が必要であり、投球機を操作する人に過度の労力が必要とされて疲労が激しく、そのためバネの強度も弱めに設定されて球の速度が出しにくい等の問題がある。
【課題を解決するための手段】
【０００５】
本発明の目的は、電源の無い場所でも使用でき、投球機を操作する人の労力が少なくて投球操作性に優れかつ球の速度も出しやすい投球機を提供することにある。
請求項１の発明は、投球アームの支点の一方に球装着部と投球アームの支点の他方部に弾性体装着部とを有しかつ弾性体装着部側の先端部が球発射解放部となっていることを特徴とする投球アームと、発射ペダルアームの支点とペダルの間に投球アームの弾性体装着部と弾性体で連結するための弾性体装着部を有する発射ペダルアームと、略中央部に支点を有する力伝導アームとを有し、力伝導アームの一方が発射ペダルアームの上方に位置し他の一方が投球アームの球発射解放部である先端部と接していることを特徴とする、投球機である。
請求項２の発明は、投球アームの球発射解放部または発射ペダルアームの発射ペダルアームのペダルと反対側の先端部または力伝道アームの両先端部の何れか１つ以上に回転体を装着している事を特徴とする請求項１の投球機である。
請求項３の発明は、本発明の投球機が、枠体の上方部に投球アームの支点を装着し、枠体の中央部に力伝導アームの支点を装着し、枠体下方部に発射ペダルアームの支点を装着し、発射ペダルアームのペダルと反対側の先端部が力伝導アームの一方の先端部の下になる状態で位置し、力伝導アームの他の先端部が投球アームの球発射解放部の先端部と接し、かつ投球アームの弾性体装着部と発射ペダルアームの弾性体装着部とを弾性体で連結していることを特徴とする請求項１，２記載の投球機である。
請求項４の発明は、本発明の弾性体がバネ、又はゴムであることを特徴とする請求項１、２、３記載の投球機である。
請求項５の発明は、発射ペダルアームの支点又は支点近傍に弾性体装着部を備えた発射ペダル補助アームを有することを特徴とする請求項１、２、３、４記載の投球機である。
請求項６の発明は、発射ペダルアームのペダルを下方に押すと、投球アームの弾性体装着部と発射ペダルアームの弾性体装着部を連結している弾性体に張力が働きかつ発射ペダルアームのペダルと反対側の先端部が力伝導アームの一方のアームの先端部を押し上げ、その結果力伝導アームの他の先端部が投球アームの球発射解放部である先端部を擦るようにして押し下がり、ついには力伝導アームと投球アームの接触が解除され、投球アームの球発射解放部の先端部が弾性体の収縮力で発射ペダルアームのペダル側に引き寄せられて、投球アームの球装着部に装着された球が発射されることを特徴とする請求項１、２、３、４、５記載の投球機である。
【０００６】
本発明で投球アームとは、投球するための球を載せることができかつアームの遠心力で球を投げる操作ができるアーム状構造物を言う。この投球アームには、アームが回転するための支点とこの支点の一方に球を載せるための球装着部と支点の他方部に弾性体装着部とを有しかつ弾性体装着部側の先端部が球発射解放部となっていることを特徴とする。投球操作性の観点から、球を載せるための球装着部は支点より上方部にあり弾性体装着部及び球発射解放部は支点より下方部に有ると好ましい。
本発明で用いられる球には特に限定はないが、野球用のボールやテニスボール、バレーボール、サッカーボール等が例示できる。球装着部はこれらの球を載せる部位を言う。球装着部の形状や大きさには限定はなく、球の大きさや発射する速度により適宜選ぶことができる。
支点とはアームがその部位を中心に回転可能な部位をいい、本発明の投球アーム、力伝導アーム、発射ペダルアームはそれぞれが支点を有する。
弾性体装着部とは弾性体を装着する部位をいい、投球アーム、力伝導アーム、発射ペダルアーム等のアームに直接装着できるよう設けられていてもよく、これらアームから例えば枝状に突き出した補助アームに設けられていても良い。投球アームの弾性体装着部は投球アームの支点と弾性体装着部側の先端部である球発射解放部との間に設置される。また発射ペダルアームの弾性体装着部は発射ペダルアームの支点とペダルとの間に設置される。
発射ペダルアームの支点又は支点近傍に、発射ペダルアームから枝状に突き出した状態の弾性体装着部を備えた発射ペダル補助アームを設けると、弾性体の長さを短くすることができかつ投球操作性が向上して好ましい。
【０００７】
投球アームおよび発射ペダルアームに設置される弾性体装着部は複数でも良い。
本発明で弾性体とは張力により伸び縮みできる構造物をいい、例えばバネやゴムを例示することができる。バネとしてはバネ鋼やステンレスあるいは銅合金等の金属製やプラスチック製のバネ、ゴムとしては天然ゴムや合成ゴム等が例示でき、それらを必要に応じて単独あるいは２種以上を用いて使用することができる。弾性体としては、強度や耐久性の観点からバネまたはゴムが好ましく、特にバネが好ましく、特にコイルバネが好ましい。本発明の弾性体は、その略一端を投球アームの弾性体装着部にそして他端を発射ペダルアームの弾性体装着部に装着して使用することができる。投球アームの弾性体装着部とペダルアームの弾性体装着部に装着する弾性体は必要に応じて１本でも２本以上でも良い。
本発明で球発射解放部とは投球アームの支点より弾性体装着部側の先端部をいう。
【０００８】
本発明で発射ペダルアームはアームの支点とペダルの間に投球アームの弾性体装着部と弾性体で連結するための弾性体装着部を有する。ペダルはその部位を足等で踏んで下方に力を加えるための部位であり、発射ペダルアームのペダル部位を足等で踏んで下方に力を加えると、その力で投球アームの弾性体装着部と発射ペダルアームの弾性体装着部の間に装着された弾性体が伸び、かつ発射ペダルアームのペダルと反対側の先端部が力伝導アームの一方のアームの先端部を押し上げ、その結果、力伝導アームの他の先端部が投球アームの球発射解放部である先端部を擦るようにして押し下がり、ついには力伝導アームと投球アームの接触を解除する機能を持つ。
【０００９】
本発明で力伝導アームは略中央部に支点を持つアームをいい、球発射前の力伝道アームはその一方の端部が発射ペダルアームのペダルと反対側の先端部の上に位置し、他方の先端部は投球アームの弾性体装着部側の先端部である球発射解放部の下に位置する。
力伝導アームの略中央部とは力伝導アームの先端部と他の先端部の間をいう。
球発射前の力伝道アームはその一方の端部が発射ペダルアームのペダルと反対側の先端部の上に位置するが、力伝道アームのその一方の端部と発射ペダルアームのペダルと反対側の先端部は離れていても良く接していても良い。
投球アーム、力伝導アームおよび発射ペダルアームの形状としては板状や筒状等の形状が例示できる。
【００１０】
本発明の投球機は、枠体に投球アームの支点、力伝導アームの支点および発射ペダルアームの支点を装着する。枠体とは投球アームの支点、力伝道アームの支点および発射ペダルアームの支点を装着するための構造物をいい、そや形状や大きさは使用するアームの大きさや使用目的に応じて適宜選択することができ、特に限定はない。例えば四角形の枠体の上方部、より好ましくは上方前方部に投球アームの支点を装着し、枠体の中央部、より好ましくは前方中央部に力伝導アームの支点を装着し、枠体下方部に発射ペダルアームの支点を装着し、発射ペダルアームのペダルと反対側の先端部が力伝導アームの一方の先端部の下になる形で位置し、この力伝導アームの他の先端部が投球アームの球発射解放部の先端部と接し、かつ投球アームの弾性体装着部と発射ペダルアームの弾性体装着部とを弾性体で連結させることにより、球発射前の状態の本発明の投球機を例示することができる。
本発明に用いる投球アームや力伝道アーム、発射ペダルアームあるいは枠体を構成する素材には特に限定はないが、鉄、鋼、鋳鉄、アルミニウム、銅、等の金属やそれらの合金、木材、プラスチックあるいはＦＲＰ等の複合材料を例としてあげることができ、それら素材を単独または２種以上を組み合わせて用いることができる。
【００１１】
本発明の投球機では、投球アームの球発射解放部または発射ペダルアームの発射ペダルアームのペダルと反対側の先端部または力伝道アームの先端部の何れか１つ以上に回転体を装着していると、発射ペダルアームのペダルを踏む力が少なくなり、投球機の操作性が増して好ましい。回転体の形状や材質には特に限定はないが、円筒状、タイヤ状、ベアリング状、コロ状、ローラー状等の形体が例示でき、材質としては金属やプラスチックあるいはゴム等が例示できる。回転体は溶接やネジ等によりアームに固定されていても良い。
これら回転体が、投球アーム、発射ペダルアーム、力伝道アーム等のアームに装着された場合には、それら回転体が他のアームや他の回転体と接して作動する。
【００１２】
本発明の投球機では、発射ペダルアームのペダルと反対側の先端部が力伝導アームの一方の先端部の下に位置し、この力伝導アームの他の先端部が投球アームの球発射解放部の先端部と接し、かつ投球アームの弾性体装着部と発射ペダルアームの弾性体装着部とを弾性体で連結させて球発射前の状態を形成させ、本発明の球装着部に発射用の球を載せ、発射ペダルアームのペダルを足で下方に押すと、投球アームの弾性体装着部と発射ペダルアームの弾性体装着部を連結している弾性体に張力が働きかつ発射ペダルアームのペダルと反対側の先端部が力伝導アームの一方のアームの先端部を押し上げ、その結果力伝導アームの他の先端部が投球アームの球発射解放部の先端部を擦るようにして押し下がり、ついには力伝導アームと投球アームの接触が解除され、投球アームの球発射解放部の先端部が弾性体の収縮力で発射ペダルアームのペダル側に引き寄せられて、投球アームの球装着部に装着された球が発射される。
【００１３】
本発明の投球機では発射ペダルアームのペダルの位置が高いほどペダルを下方に踏み込む距離が長くなり、その結果投球アームと発射ペダルアームの間に連結された弾性体をより長く伸ばして強い張力を得ることが可能となり、球の速度も出しやすく、好ましい。
しかし、発射ペダルアームのペダルの位置が高いと、ペダルを踏み込む際に足を高く上げる必要があり、投球操作性が損なわれることがある。これを改良するために、本発明の投球機に、補助ペダルアーム装着用の回転軸を追加しそこに補助ペダルアームの支点を取り付け、補助ペダルアームに発射ペダルアームの上部に位置するように装着した回転体が発射ペダルアームの上面を下方に押しながらスライドする構造にすることもできる。こうすることにより、補助ペダルアームの補助ペダルを踏んで次いで発射ペダルアームのペダルを踏むことができるので、発射ペダルアームのペダルの位置をより高くすることができて投球操作性にも優れて好ましい。
また、発射ペダルアームの支点からペダルの間の何れかの位置に、発射ペダルアームに略直立するように１０ｃｍから１ｍ程度の補助レバーを固定して設けると、その補助レバーを手で引き次いで発射ペダルアームのペダルを踏むことができるので、発射ペダルアームのペダルの位置を高くすることができる。
この結果、弾性体を伸ばす弾性体装着部が長い距離を移動き、その結果弾性体をより長く伸ばして強い張力を得ることが可能となり、球の速度も出しやすくなり、投球操作性にも優れて好ましい。 
【発明の効果】
【００１４】
本発明の投球機は、投球アームの支点の一方に球装着部と投球アームの支点の他方部に弾性体装着部とを有しかつ弾性体装着部側の先端部が球発射解放部となっていることを特徴とする投球アームと、発射ペダルアームの支点とペダルの間に投球アームの弾性体装着部と弾性体で連結するための弾性体装着部を有する発射ペダルアームと、略中央部に支点を有する力伝導アームとを有し、力伝導アームの一方が発射ペダルアームの上方に位置し他の一方が投球アームの球発射解放部である先端部と接していることを特徴とする。本発明の投球機では足の踏む力で弾性体に張力を加えて球を発射させるため、従来の人力投球機のように投球用のアームに取り付けられたバネを腕の力でアームを引き寄せることによりバネを伸ばす操作が必要でなく、投球機を操作する人に過度の労力を必要とせずそのため疲労も少なくて投球操作性に優れ、また、従来の投球機に比べバネ等の弾性体の強度も強くできて球の速度も出しやすい。
更に、本発明の投球機は電源の無い場所でも使用できるため使用環境の制約を受けにくいという利点もある。
【発明を実施するための最良の形態】
【００１５】
本発明の実施の形態例を、図を用いて説明する。
図１は本発明の投球機の側面図、図２は本発明の投球機の立体図、図３は本発明の投球機の発射前の側面図、図４は、本発明の投球機の発射時の側面図、図５は本発明の投球機に補助ペダルアームを附与した立体図、図６は本発明の投球機の補助ペダルアームの作動前側面図、図７は本発明の投球機の補助ペダルアームの作動後側面図、図８は本発明の投球機の補助レバーの作動前側面図、図９は本発明の投球機の補助レバーの作動後側面図である。
また、図１から７中の符号は、それぞれ１は投球機、２は枠体、３は弾性体、４はローラー、５は球、
６は足、７は腕、１０は投球アーム、１１は投球アームの支点、１２は球装着部、１３は投球アームの弾性体装着部、１４は球発射解放部、２０は力伝導アーム、２１は力伝導アームの支点、２２は力伝導アームの弾性体装着部、３０は発射ペダルアーム、３１は発射ペダルアームの支点、３２は発射ペダルアームの弾性体装着部、３３は発射ペダル補助アーム、３４はペダル、３５は発射ペダルアームのペダルと反対側の先端部、３６は補助ペダル、３７は補助ペダルのローラー、３８は補助ペダルアーム、３９は補助ペダルアームの支点、４０は補助ペダルアーム装着用の回転軸、４１は補助レバー、を意味する。
【００１６】
本発明の投球機１は、投球アーム１０の投球アームの支点１１の一方に球装着部１２と投球アーム支点１１の他方部に投球アームの弾性体装着部１３とを有しかつ投球アームの弾性体装着部１３側の先端部が球発射解放部１４となっていることを特徴とする投球アーム１０と、発射ペダルアームの支点３０とペダル３４の間に投球アームの弾性体装着部１３と弾性体３で連結するための投球アームの弾性体装着部１３を有する発射ペダルアーム３０と、略中央部に支点を有する力伝導アーム２０とを有し、力伝導アーム２０の一方が発射ペダルアーム３０の上方に位置し他の一方が投球アーム１０の球発射解放部１４である先端部と接していることを特徴とし、図１から４にその代表形態例を示している。
本発明の投球機１は、投球アーム１０の球発射解放部１４または発射ペダルアーム３０の発射ペダルアームのペダル３４と反対側の先端部３５または力伝道アーム２０の両先端部の何れか１つ以上に回転体４を装着している事を特徴としており、図１から４の回転体４にその代表形態例を示している。
【００１７】
本発明の投球機１は、枠体２の上方部前方に投球アームの支点１１を装着し、枠体２前方中央部に力伝導アームの支点２１を装着し、枠体２下方部に発射ペダルアームの支点３１を装着し、発射ペダルアームのペダルと反対側の先端部３５が力伝導アーム２０の一方の先端部の下になる状態で位置し、力伝導アーム２０の他の先端部が投球アーム１０の球発射解放部１４の先端部の下になる状態で接し、かつ投球アームの弾性体装着部１３と発射ペダルアームの弾性体装着部３２とを弾性体３で連結していることを特徴とし、図２から４にその代表形態例を示している。
本発明の投球機１は、弾性体３が例えばバネ、又はゴムであることを特徴としており、図１から４にコイルバネを用いたコイル３の例を示している。
本発明の投球機１は、発射ペダルアームの支点３１又は支点３１近傍に弾性体装着部３２を備えた発射ペダル補助アーム３３を有する形態も含んでおり、図１から４にその代表形態例を示している。
【００１８】
本発明の投球機１は、発射ペダルアーム３０のペダル３４を下方に押すと、投球アームの弾性体装着部１３と発射ペダルアームの弾性体装着部３２を連結している弾性体３に張力が働きかつ発射ペダルアームのペダルと反対側の先端部３５が力伝導アーム２１の一方のアームの先端部を押し上げ、その結果力伝導アーム２０の他の先端部が投球アーム１０の球発射解放部１４である先端部を擦るようにして押し下がり、ついには力伝導アーム２０と投球アーム１０の接触が解除され、投球アーム１０の球発射解放部１４の先端部が弾性体３の収縮力で発射ペダルアーム３０のペダル３４側に引き寄せられて、投球アーム１０の球装着部１２に装着された球５が発射されることを特徴としており、図３には本発明の投球機の発射前の側面図、図４には本発明の投球機の発射時の側面図、として例示している、
図１および図３中の矢印は、ペダル３４を足等で下方に押した際、発射ペダルアーム２０のペダルと反対側の先端部および力伝導アーム２０の他の先端部そして投球アーム１０の球発射解放部１４に働く力の方向を示している。
【００１９】
図５から図７には、図２から４の本発明の投球機に、更に補助ペダルアーム３８を装備した形態例を示す。図２から４の本発明の投球機に、補助ペダルアーム装着用の回転軸４０を追加しそこに補助ペダルアームの支点３９を取り付け、補助ペダルアーム３８に発射ペダルアームの上部に位置するように装着したローラー３７が発射ペダルアーム３０の上面を下方に押しながらスライドする構造にしたもので、こうすることにより、補助ペダル３６を踏んで次いで発射ペダルアーム３０のペダル３４を踏むことができるので、発射ペダルアームのペダル３４の位置をより高くすることができ、この結果バネ３を伸ばす弾性体装着部３２が長い距離を移動でき、その結果弾性体３をより長く伸ばして強い張力を得ることが可能となり球の速度も出しやすくなる。 
図８および図９には、図２から４の本発明の投球機に、更に補助レバー４１を装備した形態例を示す。図２から図４の本発明の投球機に、発射ペダルアームの支点３１からペダル３４の間の中間部に、発射ペダルアーム３０に略直立するように１ｍ程度の補助レバー４１を固定して設ける。こうすることにより、補助レバー４１を腕７で引き次いで発射ペダルアームのペダル３４を踏むことができるので、図８の様に発射ペダルアームのペダル３４の位置を高くすることができる。その結果、補助レバー４１によるバネの押し引きの操作により、球装着部１２を直接触ることなく力伝導アーム２０の前方部のローラー４に球発射解放部１４を勘合させることができる。
【図面の簡単な説明】
【００２０】
【図１】本発明の投球機の側面図
【図２】本発明の投球機の立体図
【図３】本発明の投球機の発射前の側面図
【図４】本発明の投球機の発射時の側面図
【図５】本発明の投球機にスライド式補助ペダルを附与した立体図
【図６】本発明の投球機のスライド式補助ペダルの作動前側面図
【図７】本発明の投球機のスライド式補助ペダルの作動後側面図
【図８】本発明の投球機の補助レバーの作動前側面図、
【図９】本発明の投球機の補助レバーの作動後側面図
【符号の説明】
【００２１】
１、投球機
２、枠体
３、弾性体
４、ローラー
５、球
６、足
７、腕
１０、投球アーム
１１、投球アームの支点
１２、球装着部
１３、投球アームの弾性体装着部
１４、球発射解放部
２０、力伝導アーム
２１、力伝導アームの支点
２２、力伝導アームの弾性体装着部
３０、発射ペダルアーム
３１、発射ペダルアームの支点
３２、発射ペダルアームの弾性体装着部
３３、発射ペダル補助アーム
３４、ペダル
３５、発射ペダルアームのペダルと反対側の先端部
３６、補助ペダル
３７、補助ペダルのローラー
３８、補助ペダルアーム
３９、補助ペダルアームの支点
４０、補助ペダルアーム装着用の回転軸
４１、補助レバー
【図１】
2007229451.tif 000003
【図２】
2007229451.tif 000004
【図３】
2007229451.tif 000005
【図４】
2007229451.tif 000006
【図５】
2007229451.tif 000007
【図６】
2007229451.tif 000008
【図７】
2007229451.tif 000009
【図８】
2007229451.tif 000010
【図９】
2007229451.tif 000011